(57)【特許請求の範囲】
【請求項１】
車両（１）上に作業機（Ｂ）を搭載してなる作業車（Ａ）であって、この作業機（Ｂ）は、通常の油圧発生手段で駆動可能であると共に、この通常の油圧発生手段とは異なる油圧発生手段として車両（１）に別載した第１バッテリ（２４）からの電力供給を受けて作動する電動油圧発生手段（２１）によっても駆動可能である作業車（Ａ）において、
上部（Ｃ）に上部操作部の制御用電源として用いる第２バッテリ（２６）と、この第２バッテリ（２６）に関するデータを検出する第２データ検出手段（３２）とを備え、
油圧発生手段として前記電動油圧発生手段を選択する駆動源選択手段（３３）により前記電動油圧発生手段（２１）を選択していない場合に表示するデータを選択する表示データ選択手段（３５）によりバッテリデータの表示が選択されると、前記第２バッテリ（２６）のバッテリデータ信号を受信しバッテリデータを表示するデータ表示手段（３６）または上部データ表示手段（３７）に表示し、駆動源選択手段（３３）により電動油圧発生手段（２１）を選択している場合に表示データ選択手段（３５）によりバッテリデータの表示が選択されると、前記第１バッテリ（２４）のバッテリデータをデータ表示手段（３６）または上部データ表示手段（３７）に表示することを特徴とする作業車のデータ表示装置。
【請求項２】
請求項１において、
前記上部（Ｃ）に上部操作部の制御用電源として用いる第２バッテリ（２６）と、この第２バッテリ（２６）に関するデータを検出する第２データ検出手段（３２）とを備え、
前記駆動源選択手段（３３）により前記電動油圧発生手段（２１）を選択していない場合に前記表示データ選択手段（３５）によりバッテリデータの表示が選択されると、前記第２バッテリ（２６）のバッテリデータを前記データ表示手段（３６）または前記上部データ表示手段（３７）に表示し、駆動源選択手段（３３）により電動油圧発生手段（２１）を選択している場合にデータ選択手段（３５）によりバッテリデータの表示が選択されると、前記第１バッテリ（２４）のバッテリデータと第２バッテリ（２６）のバッテリデータとを所定時間毎に交互にデータ表示手段（３６）または上部データ表示手段（３７）に表示することを特徴とする作業車のデータ表示装置。
【請求項３】
請求項１または請求項２において、
前記上部（Ｃ）に上部操作部の制御用電源として用いる第２バッテリ（２６）と、この第２バッテリ（２６）に関するデータを検出する第２データ検出手段（３２）とを備え、
前記駆動源選択手段（３３）により前記電動油圧発生手段（２１）を選択していない場合に前記表示データ選択手段（３５）によりバッテリデータの表示が選択されると、前記第２バッテリ（２６）のバッテリデータを前記データ表示手段（３６）または前記上部データ表示手段（３７）に表示し、駆動源選択手段（３３）により電動油圧発生手段（２１）を選択している場合にデータ選択手段（３５）によりバッテリデータの表示が選択されると、前記第１バッテリ（２４）のバッテリデータと第２バッテリ（２６）のバッテリデータとのうちいずれか一方をデータ表示手段（３６）または上部データ表示手段（３７）に表示し、この状態で表示データ選択手段（３５）によりバッテリデータの表示が再度選択されると、第１バッテリ（２４）のバッテリデータと第２バッテリ（２６）のバッテリデータとのうち他方をデータ表示手段（３６）または上部データ表示手段（３７）に表示することを特徴とする作業車のデータ表示装置。
【発明の詳細な説明】
【技術分野】
【０００１】
本願発明は、通常の油圧発生手段で駆動可能であると共に、この通常の油圧発生手段とは異なる油圧発生手段として車両に別載した第１バッテリからの電力供給を受けて作動する電動油圧発生手段によっても駆動可能である作業機を、車両上に搭載してなる作業車において、バッテリデータをデータ表示手段に表示する作業車のデータ表示装置に関するものである。
【背景技術】
【０００２】
高所作業車に例をとり、図２、３に基づいて説明する。高所作業車Ａは、車両１のフレーム２上に水平旋回自在に旋回台５を搭載し、旋回台５に起伏シリンダ７により起伏自在かつ伸縮シリンダ８により伸縮自在な伸縮ブーム６のブーム基端部６ａを取付けると共に、伸縮ブーム6の先端部6ｂに作業台９を備えて構成している。そして、この高所作業車Ａでは、上記車両１側には下部操作部１０を、上記作業台９側に上部操作部１１を、それぞれ配置し、車両１側と作業台９側との何れにおいても操作を行うことができるようになっている。
【０００３】
ところで、このような高所作業車は、通常、走行用エンジン１６の動力を、変速機１７に設けたＰＴＯ１８を介して取出し、第１油圧ポンプ１９を駆動している。これによって、第１油圧ポンプ１９は、作動油タンク２０の作動油を、作業機Ｂに必要な圧油として供給している。
【０００４】
また、作業中の騒音や排気ガスの発生を低減するために、特許文献1に示されるような電動油圧発生手段２１（１１）を設けているものがあり、この電動油圧発生手段２１（１１）は、電動モータ２２により第２油圧ポンプ２３を駆動するようになっている。この電動モータ２２を駆動するためには、容量の大きな第１バッテリ２４（１３）が必要であり、フレーム2（６）の側方下方に搭載されることが多い。第２油圧ポンプ２３は、作動油タンク２０（１6）の作動油を、作業機Ｂに必要な圧油として供給している。
【０００５】
このように構成した高所作業車Ａを用いて作業する場合、オペレータは、先ず高所作業車Ａを運転して道路を走行し、作業現場へ進入すると作業に適した適所に停車する。そして、サイドブレーキをＯＮにしＰＴＯ１８をＯＮにすると、第１油圧ポンプ１９から、作業機Ｂの作動に必要な圧油が供給されるので、下部操作部１０でアウトリガ操作を行い車輪3ａ、3ｂを浮かせ、フロントアウトリガ４ａ、リヤアウトリガ4ｂにより高所作業車Ａを適所に水平に設置する。次に、走行姿勢である格納姿勢から、旋回台５を適宜旋回駆動、伸縮ブーム６を適宜起伏駆動および適宜伸縮駆動、作業台９を適宜首振り駆動し、作業台９を作業対象に対し適した位置に位置させる。
【０００６】
そして、電線の接続作業等の高所での作業を開始し、作業台９の位置を適宜移動させながら高所作業を進めていく。
【０００７】
作業が終了すると、作業台９を適宜首振り駆動、伸縮ブーム６を適宜起伏駆動および適宜伸縮駆動、旋回台５を適宜旋回駆動し、伸縮ブーム６と作業台９を走行姿勢である格納姿勢に戻す。そして、オペレータは、フロントアウトリガ４ａ、リヤアウトリガ4ｂを格納した後、高所作業車Ａを運転して道路を走行し、次の作業現場または高所作業車Ａの保管場所まで移動する。
【０００８】
ところで、作業現場が住宅街であったり夜間作業であったりする場合、作業中の騒音や排気ガスの発生を低減するために、電動油圧発生手段２１を用いて高所作業をすることがある。
【０００９】
電動油圧発生手段２１を装備した高所作業車を用いて作業する場合、道路走行をし作業に適した適所に停車した後、アウトリガ操作を行い高所作業車Ａを適所に設置するまでは、前述した通常のＰＴＯ１８駆動による高所作業車Ａと何ら変わらない。異なるのは、この時点で作業機Ｂの作動に移るときであり、それは、駆動源選択手段により電動油圧発生手段２１を選択することである。これ以降の手順は、また前述した通常のＰＴＯ１８駆動による高所作業車Ａと何ら変わらない。ただし、操作をすることにより電動油圧発生手段２１の電動モータ２２と第２油圧ポンプ２３とが起動することが、ＰＴＯ１８に常時駆動されている第１油圧ポンプ１９と異なるものである。
【００１０】
電線の接続作業等の高所での作業を開始し、作業台９の位置を適宜移動させながら高所作業を進めていく。
【００１１】
作業が終ると、作業機Ｂを、通常のＰＴＯ１８駆動による高所作業車Ａと同じ手順で走行姿勢である格納姿勢に戻す。ここで駆動源選択手段による電動油圧発生手段２１の選択を解除し、エンジン１６を始動してＰＴＯ１８を接続する。この後は、通常のＰＴＯ１８駆動の作動と全く同一であり、フロントアウトリガ４ａ、リヤアウトリガ4ｂを格納した後、高所作業車Ａを運転して道路を走行し、次の作業現場または高所作業車Ａの保管場所まで移動する。
【００１２】
ところで、駆動源であるバッテリ２４は、作業途中で充電するわけにいかないため、作業に掛かる前に、その作業を完工できるだけのバッテリ容量が残っているかチェックしておく必要がある。
【００１３】
このチェック方法の一例として、特許文献２には、バッテリの累積作動時間を表示する表示器（ユニットアワーメータ７３）を設けるものが公知にされている。この使用方法は、表示された累積作動時間を監視し、所定時間内で使用するものである。また、表示器は、専用であって、専用表示となっている。
【特許文献１】実公平７−３６９５４号公報
【特許文献２】特開２０００−３１８９９１号公報
【発明の開示】
【発明が解決しようとする課題】
【００１４】
現在のバッテリ容量を確認する手段として、特許文献２に示される技術が既に公知になっているが、この表示器が表示できるのは、バッテリの累積作動時間だけである。バッテリの作動可能時間が現在残り何時間あるか、バッテリ電圧が現在何ボルトあるか、バッテリ容量は満充電に対し現在何パーセントになっているかが判らないという問題点があった。また、表示器は、累積作動時間を専用に表示するものであり、表示器を取付けるスペースが必要であるという問題点があった。
【００１５】
そこで本願発明は、上記した問題点を解決した作業車のデータ表示装置を提供することを課題とする。
【課題を解決するための手段】
【００１６】
本願発明の作業車のデータ表示装置ではかかる課題を解決するための具体的手段として次のような構成を採用している。
【００１７】
本願の第１の発明では、車両（１）上に作業機（Ｂ）を搭載してなる作業車（Ａ）であって、この作業機（Ｂ）は、通常の油圧発生手段で駆動可能であると共に、この通常の油圧発生手段とは異なる油圧発生手段として車両（１）に別載した第１バッテリ（２４）からの電力供給を受けて作動する電動油圧発生手段（２１）によっても駆動可能である作業車（Ａ）において、上部（Ｃ）に上部操作部の制御用電源として用いる第２バッテリ（２６）と、この第２バッテリ（２６）に関するデータを検出する第２データ検出手段（３２）とを備え、油圧発生手段として前記電動油圧発生手段を選択する駆動源選択手段（３３）により前記電動油圧発生手段（２１）を選択していない場合に表示するデータを選択する表示データ選択手段（３５）によりバッテリデータの表示が選択されると、前記第２バッテリ（２６）のバッテリデータ信号を受信しバッテリデータを表示するデータ表示手段（３６）または上部データ表示手段（３７）に表示し、駆動源選択手段（３３）により電動油圧発生手段（２１）を選択している場合に表示データ選択手段（３５）によりバッテリデータの表示が選択されると、前記第１バッテリ（２４）のバッテリデータをデータ表示手段（３６）または上部データ表示手段（３７）に表示することを特徴とする構成としている。
【００１８】
そこで、駆動源によって確認すべきバッテリデータを、駆動源選択手段３３により電動油圧発生手段２１を選択していない場合は第２バッテリ２６のバッテリデータが、駆動源選択手段３３により電動油圧発生手段２１を選択している場合は第１バッテリ２４のバッテリデータが相当と判断してデータ表示手段３６または上部データ表示手段３７に表示するという作用がある。
【００１９】
本願の第２の発明では、上記第１の発明に係る作業車のデータ表示装置において、前記上部Ｃに上部操作部の制御用電源として用いる第２バッテリ２６と、この第２バッテリ２６に関するデータを検出する第２データ検出手段３２とを備え、前記駆動源選択手段３３により前記電動油圧発生手段２１を選択していない場合に前記表示データ選択手段３５によりバッテリデータの表示が選択されると、前記第２バッテリ２６のバッテリデータを前記データ表示手段３６または前記上部データ表示手段３７に表示し、駆動源選択手段３３により電動油圧発生手段２１を選択している場合にデータ選択手段３５によりバッテリデータの表示が選択されると、前記第１バッテリ２４のバッテリデータと第２バッテリ２６のバッテリデータとを所定時間毎に交互にデータ表示手段３６または上部データ表示手段３７に表示することを特徴とする構成としている。
【００２０】
そこで、本願の第１の発明の作用に加え、駆動源選択手段３３により電動油圧発生手段２１を選択している場合に、データ選択手段３５が一度操作されると、第１バッテリ２４のバッテリデータと第２バッテリ２６のバッテリデータとの双方を、データ表示手段３６または上部データ表示手段３７に所定時間毎に交互に表示するという作用がある。
【００２１】
本願の第３の発明では、上記第１の発明または第２の発明に係る作業車のデータ表示装置において、前記上部Ｃに上部操作部の制御用電源として用いる第２バッテリ２６と、この第２バッテリ２６に関するデータを検出する第２データ検出手段３２とを備え、前記駆動源選択手段３３により前記電動油圧発生手段２１を選択していない場合に前記表示データ選択手段３５によりバッテリデータの表示が選択されると、前記第２バッテリ２６のバッテリデータを前記データ表示手段３６または前記上部データ表示手段３７に表示し、駆動源選択手段３３により電動油圧発生手段２１を選択している場合にデータ選択手段３５によりバッテリデータの表示が選択されると、前記第１バッテリ２４のバッテリデータと第２バッテリ２６のバッテリデータとのうちいずれか一方をデータ表示手段３６または上部データ表示手段３７に表示し、この状態で表示データ選択手段３５によりバッテリデータの表示が再度選択されると、第１バッテリ２４のバッテリデータと第２バッテリ２６のバッテリデータとのうち他方をデータ表示手段３６または上部データ表示手段３７に表示することを特徴とする構成としている。
【００２２】
そこで、本願の第１ないし第２の発明の作用に加え、駆動源選択手段３３により電動油圧発生手段２１を選択している場合に、データ選択手段３５によりバッテリデータの表示が選択されると、例えば第１バッテリ２４のバッテリデータをデータ表示手段３６に表示し、データ選択手段３５によりバッテリデータの表示が再度選択されると、第２バッテリ２６のバッテリデータを表示するというように、表示データ選択手段３５の操作毎に交互に表示するという作用がある。
【発明の効果】
【００２３】
本願の第１の発明に係る作業車のデータ表示装置によれば、駆動源によって確認すべきバッテリデータを、駆動源選択手段３３により電動油圧発生手段２１を選択していない場合は第２バッテリ２６のバッテリデータが、駆動源選択手段３３により電動油圧発生手段２１を選択している場合は第１バッテリ２４のバッテリデータが相当と判断してデータ表示手段３６または上部データ表示手段３７に表示する。
【００２４】
このために、オペレータは、駆動源選択手段３３により電動油圧発生手段２１を選択しているか如何を考えて第１バッテリ２４のバッテリデータと第２バッテリ２６のバッテリデータとのいずれを確認すべきかを判断しなくてもよいため、オペレータは、作業に集中できるという効果をもたらすものである。
【００２５】
本願の第２の発明に係る作業車のデータ表示装置によれば、本願の第１の発明の作用に加え、駆動源選択手段３３により電動油圧発生手段２１を選択している場合に、データ選択手段３５が一度操作されると、第１バッテリ２４のバッテリデータと第２バッテリ２６のバッテリデータとの双方を、データ表示手段３６または上部データ表示手段３７に所定時間毎に交互に表示する。
【００２６】
このために本願の第１発明に係る効果に加え、オペレータは、第１バッテリ２４のバッテリデータと第２バッテリ２６のバッテリデータとの双方を、一度の操作で容易に確認でき、バッテリデータの確認のための作業中断が最小限にできるという効果をもたらすものである。
【００２７】
本願の第３の発明に係る作業車のデータ表示装置によれば、本願の第１ないし第２の発明の作用に加え、駆動源選択手段３３により電動油圧発生手段２１を選択している場合に、データ選択手段３５によりバッテリデータの表示が選択されると、例えば第１バッテリ２４のバッテリデータをデータ表示手段３６または上部データ表示手段３７に表示し、データ選択手段３５によりバッテリデータの表示が再度選択されると、第２バッテリ２６のバッテリデータを表示するというように、表示データ選択手段３５の操作毎に交互に表示する。
【００２８】
このために本願の第１ないし第４の発明に係る効果に加え、オペレータは、第１バッテリ２４のバッテリデータと第２バッテリ２６のバッテリデータとの双方を、オペレータの意思によって、交互に表示し確認できるので、バッテリデータを誤認することがないという効果をもたらすものである。もちろんこの操作も極めて容易にできるという効果をもたらしている。
【発明を実施するための最良の形態】
【００２９】
以下、本願発明の作業車のデータ表示装置を、好適な実施形態に基づいて具体的に説明する。
Ａ：第１の実施形態
高所作業車に例をとり、図１〜図３に基づいて説明する。
【００３０】
高所作業車Ａは、道路走行のための車輪３ａ・３ｂと高所作業時に安定支持するためのアウトリガ４ａ・４ｂとを備えた車両１のフレーム２上に水平旋回自在に旋回台５を搭載し、旋回台５に起伏シリンダ７により起伏自在かつ伸縮シリンダ８により伸縮自在な伸縮ブーム６のブーム基端部６ａを取付けると共に、伸縮ブーム6の先端部6ｂに作業台９を備えて構成している。そして、この高所作業車Ａでは、車両１側には下部操作部１０を、作業台９側に上部操作部１１を、それぞれ配置し、車両１側と作業台９側との何れにおいても操作を行うことができるようになっている。
【００３１】
また、このような高所作業車は、通常の油圧発生手段として、走行用エンジン１６の動力を、変速機１７に設けたＰＴＯ１８を介して取出し、第１油圧ポンプ１９を駆動している。これによって、第１油圧ポンプ１９は、作動油タンク２０の作動油を、作業機Ｂに必要な圧油として供給している。
【００３２】
ところで、この高所作業車Ａは、高所作業中の騒音や排気ガスの発生を低減するために、電動油圧発生手段２１を備えており、この電動油圧発生手段２１は、電動モータ２２により第２油圧ポンプ２３を駆動するようになっている。この電動モータ２２を駆動するためには、容量の大きな第１バッテリ２４が必要であり、フレーム２の側方下方に搭載している。第２油圧ポンプ２３は、第１油圧ポンプ１９と共用する作動油タンク２０の作動油を、作業機Ｂに必要な圧油として供給している。
【００３３】
２６は、第２バッテリであり、上部操作部１１の制御用電源として用いる。
【００３４】
また、３１は、第１データ検出手段、３２は、第２データ検出手段、３３は、駆動源選択手段、３４は、制御手段、３５は、表示データ選択手段、３６は、データ表示手段、３７は、上部データ表示手段である。
【００３５】
第１データ検出手段３１は、第１バッテリ２４に関するデータを検出する手段であり、第１バッテリ２４の電圧、電流、内部抵抗、バッテリ液の比重、稼働時間、残量％等のいずれか１種または複数種のデータを検出し出力する検出器で構成する。
【００３６】
第２データ検出手段３２は、第２バッテリ２６に関するデータを検出する手段であり、第２バッテリ２６の電圧、電流、内部抵抗、バッテリ液の比重、稼働時間、残量％等のいずれか１種または複数種のデータを検出し出力する検出器で構成する。
【００３７】
駆動源選択手段３３は、下部操作部１０または上部操作部１１に位置し、油圧発生手段として電動油圧発生手段２１を選択する選択手段であり、選択スイッチで構成する。
【００３８】
制御手段３４は、第１データ検出手段３１で検出した第１バッテリ２４に関するデータや第２データ検出手段３２で検出した第２バッテリ２６に関するデータを表示可能なバッテリデータ信号に加工し出力する手段であり、いわゆる演算装置として構成している。
【００３９】
表示データ選択手段３５は、下部操作部１０または上部操作部１１に位置し、表示するデータを選択する手段であり、押しボタンスイッチ等で構成する。
【００４０】
データ表示手段３６は、車両１側または旋回台５側に備えた下部操作部１０あるいは作業台９側に備えた上部操作部１１に位置し、バッテリデータ信号を受信しデータを表示する手段であり、アナログメータ、デジタル数値表示器、バーグラフ型デジタル表示器等のいずれかで構成する。この表示器は、この種高所作業車に通常装備されている過負荷防止装置の表示器を利用し、表示するようにすればよい。
【００４１】
上部データ表示手段３７は、上部操作部１１に位置し、バッテリデータ信号を受信しデータを表示する手段であり、アナログメータ、デジタル数値表示器、バーグラフ型デジタル表示器等のいずれかで構成する。この表示器は、この種高所作業車に通常装備されている過負荷防止装置の表示器を利用し、表示するようにすればよい。
【００４２】
これらの各手段は、高所作業車Ａの作業において、駆動源選択手段３３により電動油圧発生手段２１を選択しており、かつ表示データ選択手段３５によりバッテリデータの表示が選択された場合には、バッテリデータをデータ表示手段３６または上部データ表示手段３７に表示するよう構成している。
【００４３】
このように構成した高所作業車Ａを用いて高所作業する場合について説明する。オペレータは、先ず高所作業車Ａを運転して道路を走行し、作業現場へ進入すると作業に適した適所に停車する。そして、サイドブレーキをＯＮにしＰＴＯ１８を接続すると、第１油圧ポンプ１９から、作業機Ｂの作動に必要な圧油が供給されるので、下部操作部１０において、アウトリガ操作を行い車輪3ａ、3ｂを浮かせ、フロントアウトリガ４ａ、リヤアウトリガ4ｂにより高所作業車Ａを水平に設置する。
【００４４】
ここで、駆動源選択手段３３により電動油圧発生手段２１を選択することもあるが、この選択をせずそのままＰＴＯ１８により第１油圧ポンプ１９を駆動するものとする。
【００４５】
オペレータは、作業台９に搭乗し上部操作部１１を操作して、走行姿勢である格納姿勢から、旋回台５を適宜旋回駆動、伸縮ブーム６を適宜起伏駆動および適宜伸縮駆動、作業台９を適宜首振り駆動し、作業台９を作業対象に対し適した位置に位置させる。
【００４６】
そして、電線の接続作業等の高所での作業を開始し、作業台９の位置を適宜移動させながら高所作業を進めていく。
【００４７】
高所作業が終了すると、作業台９を適宜首振り駆動、伸縮ブーム６を適宜起伏駆動および適宜伸縮駆動、旋回台５を適宜旋回駆動し、伸縮ブーム６と作業台９を走行姿勢である格納姿勢に戻す。そして、オペレータは、作業台９から降りて、下部操作部１０でフロントアウトリガ４ａ、リヤアウトリガ4ｂを格納した後、高所作業車Ａを運転して道路を走行し、次の作業現場または高所作業車Ａの保管場所まで移動する。
【００４８】
上記は、作業時に通常の油圧発生手段すなわちＰＴＯ１８により第１油圧ポンプ１９を駆動するものを用いるものとして説明したが、作業現場が住宅街であったり夜間作業であったりする場合、作業中の騒音や排気ガスの発生を低減するために、電動油圧発生手段２１を用いて高所作業をすることがある。
【００４９】
この場合、フロントアウトリガ４ａ、リヤアウトリガ4ｂにより高所作業車Ａを適所に水平に設置した後、駆動源選択手段３３により電動油圧発生手段２１を選択する。
【００５０】
これ以降の手順は、前述した通常のＰＴＯ１８駆動による高所作業車Ａと何ら変わらない。ただし、操作をすることにより電動油圧発生手段２１の電動モータ２２と第２油圧ポンプ２３とが起動することが、ＰＴＯ１８に常時駆動されている第１油圧ポンプ１９と異なるものである。
【００５１】
作業が終ると、作業機Ｂを、通常のＰＴＯ１８駆動による高所作業車Ａと同じ手順で走行姿勢である格納姿勢に戻す。ここで駆動源選択手段による電動油圧発生手段２１の選択を解除し、エンジン１６を始動してＰＴＯ１８を接続する。この後は、通常のＰＴＯ１８駆動の作動と全く同一である。
【００５２】
これらの作業中であって、駆動源選択手段３３により電動油圧発生手段２１を選択していない場合に表示データ選択手段３５によりバッテリデータの表示が選択されると、第２バッテリのバッテリデータをデータ表示手段３６または上部データ表示手段３７に表示し、駆動源選択手段３３により電動油圧発生手段２１を選択している場合に表示データ選択手段３５によりバッテリデータの表示が選択されると、第１バッテリ２４のバッテリデータをデータ表示手段３６または上部データ表示手段３７に表示する。これらのバッテリデータの表示は、表示データ選択手段３５の操作をすると、操作中にだけ表示するようにしてもよく、また操作を停止しても持続的に表示するようにしてもよく、さらに操作を停止すると所定時間だけ表示するようにしてもよい。
【００５３】
このように構成し作用するため、作業に掛かる前に、第１バッテリ２４や第２バッテリ２６のバッテリデータの確認を容易に行えると共に、確認忘れが起き難いという効果をもたらすのである。
【００５４】
また、確認すべきバッテリデータを、駆動源によって制御手段３４が選択しデータ表示手段３６または上部データ表示手段３７に表示するため、オペレータは、いずれのバッテリデータを確認すべきかを判断しなくてもよいので、作業に集中できるという効果をもたらすのである。
【００５５】
さらに、オペレータは、上部Ｃに設けた作業台９の上部データ表示手段３７により、第１バッテリ２４のバッテリデータを確認できるため、データ表示手段３６まで降りて行く必要がないので、容易に第１バッテリ２４のバッテリデータを確認できると共に、作業の中断も無いに等しく作業効率が良いという効果をもたらすのである。
【００５６】
そして、データ表示手段３６または上部データ表示手段３７は、他のデータ表示にも共用しているので、データ表示手段の占有スペースを省スペース化できるという効果ももたらすと共に、作業環境が電動油圧発生手段２１を用いた作業をする必要のない場合は、走行用エンジン１６の駆動により油圧を発生する通常の油圧発生手段を用いて作業することにより、第１バッテリ２４の消費を抑制でき、電動油圧発生手段２１を用いた作業をするときに長時間の作動を行えるという効果をもたらすのである。
【００５７】
また、これらのバッテリデータの確認は、オペレータは、表示データ選択手段３５を操作することによっていつでもデータ表示手段３６または上部データ表示手段３７にバッテリデータを表示し確認できるのである。
【００５８】
以上の説明では、伸縮ブーム式高所作業車に例を取り説明したが、本願発明の作業車のデータ表示装置は、シザーズ式・ポスト式等の他の高所作業車や、移動式クレーン車等の作業車にも適用できるものである。
【００５９】
また、駆動源選択手段３３、制御手段３４、表示データ選択手段３５、データ表示手段３６は、それぞれ個別の手段として表示したが、これら全てが一体化されたりあるいはいくつかが一体化されたものでもよい。
【００６０】
さらに、通常の油圧発生手段として、走行用エンジン１６の動力を変速機１７に設けたＰＴＯ１８を介して取出し第１油圧ポンプ１９を駆動するものを示したが、エンジン直結で第１油圧ポンプ１９を駆動するもの、商用電源で回転するモータで第１油圧ポンプ１９を駆動するもの等も通常の油圧発生手段に含まれるものである。
Ｂ：第２の実施形態
第２の実施形態は、前述の第１の実施形態の変形版であって、バッテリデータのデータ表示手段３６または上部データ表示手段３７への表示形態が異なるものである。
【００６１】
すなわち、駆動源選択手段３３により電動油圧発生手段２１を選択していない場合に表示データ選択手段３５によりバッテリデータの表示が選択されると、第２バッテリ２６のバッテリデータをデータ表示手段３６または上部データ表示手段３７に表示し、駆動源選択手段３３により電動油圧発生手段２１を選択している場合にデータ選択手段３５によりバッテリデータの表示が選択されると、第１バッテリ２４のバッテリデータと第２バッテリ２６のバッテリデータとを所定時間毎に交互にデータ表示手段３６または上部データ表示手段３７に表示する構成としている。
【００６２】
このように構成し作用するため、オペレータは、第１バッテリ２４のバッテリデータと第２バッテリ２６のバッテリデータとの双方を、一度の操作で容易に確認でき、バッテリデータの確認のための作業中断が最小限にできるという効果をもたらすのである。
【００６３】
これらのバッテリデータの表示は、表示データ選択手段３５の操作をすると、操作中にだけ表示するようにしてもよく、また操作を停止しても持続的に表示するようにしてもよく、さらに操作を停止すると所定時間だけ表示するようにしてもよい。
【００６４】
なお、第１バッテリ２４のバッテリデータと第２バッテリ２６のバッテリデータとのいずれが表示されているか、認識可能なマーク等を同時に表示すると使い勝手が良くなる。
Ｃ：第３の実施形態
第３の実施形態は、前述の第１の実施形態の変形版であって、バッテリデータのデータ表示手段３６または上部データ表示手段３７への表示形態が異なるものである。
【００６５】
すなわち、駆動源選択手段３３により電動油圧発生手段２１を選択していない場合に表示データ選択手段３５によりバッテリデータの表示が選択されると、第２バッテリ２６のバッテリデータをデータ表示手段３６または上部データ表示手段３７に表示し、駆動源選択手段３３により電動油圧発生手段２１を選択している場合にデータ選択手段３５によりバッテリデータの表示が選択されると、第１バッテリ２４のバッテリデータと第２バッテリ２６のバッテリデータとのうちいずれか一方をデータ表示手段３６または上部データ表示手段３７に表示し、この状態で表示データ選択手段３５によりバッテリデータの表示が再度選択されると、第１バッテリ２４のバッテリデータと第２バッテリ２６のバッテリデータとのうち他方をデータ表示手段３６または上部データ表示手段３７に表示する構成としている。
【００６６】
このように構成し作用するため、オペレータは、第１バッテリ２４のバッテリデータと第２バッテリ２６のバッテリデータとの双方を、オペレータの意思によって、交互に表示し確認できるので、バッテリデータを誤認することがないという効果をもたらすものである。もちろんこの操作も極めて容易にできるという効果をもたらしている。
【００６７】
これらのバッテリデータの表示は、表示データ選択手段３５の操作をすると、操作中にだけ表示するようにしてもよく、また操作を停止しても持続的に表示するようにしてもよく、さらに操作を停止すると所定時間だけ表示するようにしてもよい。
【００６８】
この場合も第２の実施形態と同じく、第１バッテリ２４のバッテリデータと第２バッテリ２６のバッテリデータとのいずれが表示されているか、認識可能なマーク等を同時に表示すると使い勝手が良くなる。
Ｄ：その他
油圧発生手段が通常の油圧発生手段しかない作業車の場合、データ表示手段３６または上部データ表示手段３７に表示するバッテリデータを、第１バッテリ２４のバッテリデータに替えて車両に元来備わっているバッテリ（エンジン始動用）のバッテリデータにすることも考えられる。
【図面の簡単な説明】
【００６９】
【図１】本願発明の作業車のデータ表示装置を示すブロック図である。
【図２】本願発明の作業車のデータ表示装置が適用される高所作業車の側面説明図である。
【図３】本願発明の作業車のデータ表示装置が適用される高所作業車の平面説明図である。
【符号の説明】
【００７０】
１ ・・車両
５ ・・旋回台
９ ・・作業台
１６ ・・走行用エンジン
１８ ・・ＰＴＯ
１９ ・・第１油圧ポンプ
２１ ・・電動油圧発生手段
２４ ・・第１バッテリ
２６ ・・第２バッテリ
３１ ・・第１データ検出手段
３２ ・・第２データ検出手段
３３ ・・駆動源選択手段
３４ ・・制御手段
３５ ・・表示データ選択手段
３６ ・・データ表示手段
３７ ・・上部データ表示手段
Ａ ・・作業車
Ｂ ・・作業機
Ｃ ・・上部
【図１】
0005342129.tif 000002
【図２】
0005342129.tif 000003
【図３】
0005342129.tif 000004